(57)【要約】【課題】使用者がビューファインダーを覗くことが不可能な状況において、撮像情報記録装置が間欠記録モードで撮像記録停止状態にあるときの間欠記録モードであるか否かの誤判断を防止する。【解決手段】撮像情報装置１３において、間欠記録モード通知手段１は、間欠記録制御手段１４によって制御される記録モードを検出し、間欠記録モードで且つ記録停止中である場合は、次の記録動作が自動的に開始されるまでの残り時間に応じて周波数を段階的に変えて発行デバイス４を点滅させることにより、前記のような誤判断を防ぐことが可能となる。【選択図】  図１
2004266430.tif 000002
【特許請求の範囲】
【請求項１】
被写体を撮像するとともに撮像に係る撮像情報を出力する撮像手段と、
前記撮像情報を記録媒体に書き込んで記録する撮像情報記録手段と、
前記記録媒体への書き込み作動と書き込み停止とを制御する書き込み制御手段と、
予め設定された記録時間の書き込み作動と予め設定された停止時間の書き込み停止とを交互に繰り返して前記記録媒体に間欠的に撮像情報の記録を行う間欠記録制御手段と、
前記記録時間および前記停止時間を予め設定するための時間設定手段と、
前記停止時間の書き込み停止中において停止時間経過後に再度書き込みを開始することを使用者に通知する間欠記録モード通知手段とを備えた撮像情報記録装置。
【請求項２】
請求項１に記載の撮像情報記録装置において、前記記録媒体への書き込み停止中に書き込み停止直後からの経過時間を測定する記録停止時間測定手段と、
前記経過時間と前記停止時間とに基づいて次の書き込み作動までの時間である停止残り時間情報を算出し、前記停止残り時間情報を使用者に通知するための信号を出力する残り時間通知手段とをさらに備えた撮像情報記録装置。
【請求項３】
請求項１に記載の撮像情報記録装置において、前記間欠記録モード通知手段は撮像情報記録装置が記録状態であるか停止状態であるかを示す発光デバイスを備え、
書き込み作動中は前記発光デバイスを直流点灯し、書き込み停止中は所定の周波数で点滅させるように構成した撮像情報記録装置。
【請求項４】
請求項２に記載の撮像情報記録装置において、撮像情報記録装置が記録状態であるか停止状態であるかを示す発光デバイスをさらに備え、
残り時間通知手段は、停止残り時間情報に応じて、前記発光デバイスを点滅させる周波数を段階的に変えていくように構成した撮像情報記録装置。
【請求項５】
請求項１に記載の撮像情報記録装置において、撮像情報記録装置の遠隔操作を行う遠隔操作装置と、
間欠記録モードで且つ記録作動中であることを示す間欠記録状態情報と間欠記録モードで且つ記録停止中であることを示す間欠停止状態情報を前記遠隔操作装置に送信する間欠状態情報送信手段とをさらに備えた撮像情報記録装置。
【請求項６】
請求項２に記載の撮像情報記録装置において、撮像情報記録装置の遠隔操作を行う遠隔操作装置と、
間欠記録モードで且つ記録停止中のときに停止残り時間情報を前記遠隔操作装置に送信する停止残り時間送信手段とをさらに備えた撮像情報記録装置。
【請求項７】
請求項５に記載の撮像情報記録装置において、前記間欠状態情報送信手段は、前記間欠停止状態情報を所定のプロトコルにより変調して変調信号として送信し、前記遠隔操作装置は、受信した前記変調信号を受信して復調する構成とした撮像情報記録装置。
【請求項８】
請求項６に記載の撮像情報記録装置において、前記停止残り時間送信手段は、前記停止残り時間情報を所定のプロトコルにより変調して変調信号として送信し、前記遠隔操作装置は、受信した前記変調信号を受信して復調する構成とした撮像情報記録装置。
【発明の詳細な説明】
【０００１】
【発明の属する技術分野】
本発明は、ビデオカメラ等の撮像情報記録装置に関し、さらに詳細には、被写体を撮像するとともにこの撮像に係る撮像情報を出力する撮像手段と、撮像情報を記録媒体に書き込んで記録する撮像情報記録手段と、前記撮像情報を記録媒体に書き込み開始と書き込み停止を制御する書き込み制御手段を備えた撮像情報記録装置に関する。
【０００２】
【従来の技術】
撮像情報記録装置において、被写体の長時間にわたる連続動作などの撮像情報を間欠的に記録装置へ記録したい場合、予め設定した時間の撮像情報の記録装置への記録動作と予め設定した時間の記録停止とを交互に繰り返す間欠記録を実行する技術が知られている（例えば、
【特許文献１】参照。）。また、ビューファインダーの画面に通知信号を出力することにより、前記の撮像情報記録装置が間欠的に書き込み作動及び書き込み停止を繰り返す間欠記録モードであることを通知する技術が知られている。
【０００３】
【特許文献１】
特開２００２−５１３０４号公報
【０００４】
【発明が解決しようとする課題】
しかしながら、従来の撮像情報記録装置では、間欠記録動作を行っている間、ビューファインダーを見ることが不可能な状況で撮像情報記録装置より遠方に位置する使用者に間欠記録動作中であることを通知する手段を明示していない。間欠記録の時間管理のみに人員を割くことを避けるべく、間欠記録制御手段を備えたビデオカメラなどの撮像情報記録装置を使用する場合においては、使用者が撮像情報記録装置より遠方に位置するケースが多い。このため、撮像情報記録装置より遠方に位置する使用者は、撮像情報記録装置が撮像記録停止状態にある間は、その位置からは間欠記録モードであるかどうかを認識できないため、間欠記録動作を行っていないものとの誤判断により、間欠記録中の撮像情報記録装置もしくは被写体を移動したり触ってしまい、セッティングが変わってしまうという問題点があった。また、記録装置の記録開始位置を変更するなどの操作を行った場合には、記録装置に記録した撮像情報を上書きにより破壊してしまうという問題点があった。
【０００５】
本発明はこれらの問題点に鑑み、ビューファインダーを見ることが不可能な状況で使用者が撮像情報記録装置より遠方に位置する場合においても、撮像情報記録装置の間欠記録モードであるか否かを正確に把握できるようにする機能を有した撮像情報記録装置を提供することを目的とする。
【０００６】
【課題を解決するための手段】
この課題を解決するために本発明では、撮像情報記録装置より遠方に位置する使用者に認識できるような間欠記録モード通知信号、および間欠記録モードの記録停止状態で次の記録開始までの残り時間を通知する信号を発生させる機能を撮像情報記録装置に備えるものである。
【０００７】
これにより、長時間にわたる被写体の連続動作などのように、間欠記録を行う必要性を有する撮影を行う場合、使用者が撮像情報記録装置より遠方に位置する場合においても撮像情報記録装置が記録停止状態のときに間欠記録モードであるか否かを正確に瞬間的に判断できるような機能を実現するものである。
【０００８】
【発明の実施の形態】
本発明の請求項１に記載の発明は、被写体を撮像するとともに撮像に係る撮像情報を出力する撮像手段と、前記撮像情報を記録媒体に書き込んで記録する撮像情報記録手段と、前記記録媒体への書き込み作動と書き込み停止とを制御する書き込み制御手段と、予め設定された記録時間の書き込み作動と予め設定された停止時間の書き込み停止とを交互に繰り返して前記記録媒体に間欠的に撮像情報の記録を行う間欠記録制御手段と、前記記録時間および前記停止時間を予め設定するための時間設定手段と、前記停止時間の書き込み停止中において停止時間経過後に再度書き込みを開始することを使用者に通知する間欠記録モード通知手段とを備えたものである。この構成により、間欠記録モードにて撮影を行っている場合には、記録中は、記録中であること、間欠記録モードにて撮影を行っていることおよび一定時間後に自動的に記録が終了することが遠方からでも予測可能となる。また、記録停止状態である場合においても、一定時間後に再度記録を開始することが予測可能となり、通常の記録停止状態および撮影終了との誤判断により間欠記録モードにて撮影を行っているにも関わらず撮像装置もしくは被写体のセッティングを変えてしまうことがないという作用を有する。
【０００９】
請求項２に記載の発明は、請求項１に記載の撮像情報記録装置において、前記記録媒体への書き込み停止中に書き込み停止直後からの経過時間を測定する記録停止時間測定手段と、前記経過時間と前記停止時間とに基づいて次の書き込み作動までの時間である停止残り時間情報を算出し、前記停止残り時間情報を使用者に通知するための信号を出力する残り時間通知手段とをさらに備えたものであり、これにより間欠記録モードを利用した撮影を行う場合に再度記録を開始するまでの時間が把握でき、段取りを立て易くなるという作用を有する。
【００１０】
請求項３に記載の発明は、請求項１に記載の撮像情報記録装置において、前記間欠記録モード通知手段は撮像情報記録装置が記録状態であるか停止状態であるかを示す発光デバイスを備え、書き込み作動中は前記発光デバイスを直流点灯し、書き込み停止中は所定の周波数で点滅させるように構成したものであり、遠方に位置する使用者にも視覚的に間欠記録モードであることを認識させることができるという作用を有する。
【００１１】
請求項４に記載の発明は、請求項２に記載の撮像情報記録装置において、撮像情報記録装置が記録状態であるか停止状態であるかを示す発光デバイスをさらに備え、残り時間通知手段は、停止残り時間情報に応じて、前記発光デバイスを点滅させる周波数を段階的に変えていくように構成したことにより、遠方に位置する使用者にも視覚的に前記停止残り時間を認識させることができるという作用を有する。
【００１２】
請求項５に記載の発明は、請求項１に記載の撮像情報記録装置において、撮像情報記録装置の遠隔操作を行う遠隔操作装置と、間欠記録モードで且つ記録作動中であることを示す間欠記録状態情報と間欠記録モードで且つ記録停止中であることを示す間欠停止状態情報を前記遠隔操作装置に送信する間欠状態情報送信手段とをさらに備えたものである。この構成により、例えば撮像情報記録装置から１００ｍ以上離れた場所に使用者が位置するなど、撮像情報記録装置の遠隔操作が必要となるような状況においても間欠記録状態情報を使用者に通知することが可能となるという作用を有する。
【００１３】
請求項６に記載の発明は、請求項２に記載の撮像情報記録装置において、撮像情報記録装置の遠隔操作を行う遠隔操作装置と、間欠記録モードで且つ記録停止中のときに停止残り時間情報を前記遠隔操作装置に送信する停止残り時間送信手段とをさらに備えたものである。この構成により、例えば撮像情報記録装置から１００ｍ以上離れた場所に使用者が位置するなど、撮像情報記録装置の遠隔操作が必要となるような状況においても停止残り時間情報を使用者に通知することが可能となるという作用を有する。
【００１４】
請求項７に記載の発明は、請求項５に記載の撮像情報記録装置において、前記間欠状態情報送信手段は、前記間欠停止状態情報を所定のプロトコルにより変調して変調信号として送信し、前記遠隔操作装置は、受信した前記変調信号を受信して復調する構成としたものであり、これにより、撮像情報記録装置の遠隔操作が必要な状況においても停止残り時間情報を使用者に通知することが可能となるという作用を有する。
【００１５】
請求項８に記載の発明は、請求項６に記載の撮像情報記録装置において、前記停止残り時間送信手段は、前記停止残り時間情報を所定のプロトコルにより変調して変調信号として送信し、前記遠隔操作装置は、受信した前記変調信号を受信して復調する構成としたものであり、これにより、撮像情報記録装置の遠隔操作が必要な状況においても停止残り時間情報を使用者に通知することが可能となるという作用を有する。
【００１６】
以下、本発明の一実施の形態であるビデオカメラについて図面に基づいて説明する。図１は本発明の一実施の形態におけるブロック図である。撮像情報記録装置１３は、いわゆるビデオカメラであり、撮像手段および撮像情報記録手段を備えている。間欠記録モード通知手段１は、間欠記録モードにて撮影を行っている間の一時的な書き込み停止中である場合に間欠記録モードであることを遠方に位置する使用者に通知する手段である。記録停止時間測定手段２は、間欠記録モードにて動作中、記録停止直後からその時点までの経過時間を測定する手段である。残り時間通知手段３は、前記停止残り時間を演算により認識し、その値に応じて段階的に周波数が変わる停止残り時間を示す信号を発生させる手段である。発光デバイス４は、放送用ビデオカメラなどのタリーランプもしくはこれに類似するものである。遠隔操作装置５は、撮像情報記録装置１３に対して記録開始、停止などの制御信号や、画作り情報を送信して遠隔操作し、また、撮像情報記録装置１３から様々な撮像情報を受信するための撮像情報受信装置としての機能などを持つ装置である。演算装置６は、予め設定された記録停止時間データと記録停止時間カウンタ１０などで測定したデータを基に記録停止残り時間を演算する装置である。レジスタ７は、予め設定された記録停止時間データを格納する演算レジスタである。間欠状態情報送信手段８は、撮像情報記録装置１３と遠隔操作装置５との間の通信プロトコルに従って間欠記録を行っているか否かの情報を遠隔操作装置５に送信する手段である。停止残り時間送信手段９は、撮像情報記録装置１３と遠隔操作装置５との間の通信プロトコルに従って記録停止残り時間の情報を遠隔操作装置５に送信する手段である。記録停止時間カウンタ１０は、間欠記録モード中の記録停止時間を測定するカウンタである。停止残り時間情報１１は、予め設定された記録開始までの残り時間を示す情報である。間欠停止状態情報１２は、撮像情報記録装置１３が間欠記録を行っているか否かの情報である。間欠記録制御手段１４は、間欠記録モードを実行するための記録時間、記録停止時間の設定手段および撮像手段、撮像情報記録手段の間欠記録モードへの動作モード移行に伴う画角調整などの撮像条件設定、記録媒体の残量検知、設定時間の認識、設定された記録・停止動作実行などを制御する手段である。
【００１７】
間欠記録モード通知手段１は、間欠記録制御手段１４によって制御される記録モードを検出し、間欠記録モードであることを認識した場合、記録停止時間測定手段２、演算装置６、記録停止時間カウンタ１０を発動させる。次に書き込み作動中であるか否かの確認を行い、書き込み停止中である場合のみ、発光デバイス４を点滅させる信号を発生させる。書き込み作動中は、通常記録中であることを通知する場合と同様に発光デバイス４を直流点灯させる。
【００１８】
発光デバイス４はタリーランプやこれに類似するもの、もしくは、２色以上の発光素子をもつランプであってもよい。発光デバイス４が２色以上の発光素子を持つものである場合、間欠記録モード通知手段１は、間欠記録モードであることを通知する信号として、通常記録中のときに点灯させる発光素子と異なる色の発光素子を点灯または点滅させることも可能である。また、間欠記録モード通知手段１は、通常記録中である場合と間欠記録モードで書き込み作動中である場合と間欠記録モードで書き込み停止中である場合で、発光デバイスの点灯周波数と色の組み合わせによる発光の形態を個別に設定することも可能である。
【００１９】
記録停止時間測定手段２は、間欠記録モードにおいて予め設定された記録時間が終了して一時的に停止した時点より記録停止時間カウンタ１０が経過時間の測定を開始すると同時にその経過時間データを演算装置６に送信する。一方で間欠記録制御手段１４より、予め設定された記録停止時間が演算装置６のレジスタ７に格納されているので、レジスタ７に格納されたデータと記録停止時間測定手段２により測定された、書き込み停止してからの経過時間との差分を停止残り時間情報１１として随時演算する。また、残り時間通知手段３は停止残り時間情報１１の値に応じた識別信号を発生する。
【００２０】
演算装置６により算出された停止残り時間情報１１を認識した後の残り時間通知手段３の動作の一例を図２のタイミングチャートに基づいて説明する。これは、停止残り時間情報１１の値に応じて発光デバイス４を段階的に周波数を変えて点滅させるための信号を発生させるものである。記録制御信号１５は間欠記録モード時における記録／停止のタイミング制御パルスであり、この信号の論理はここでは仮に、記録時は“Ｈ”、記録停止時は“Ｌ”とする。点灯制御信号１６は発光デバイス４を点滅させるためのパルス信号であり、この信号の論理はここでは仮に、点灯時は“Ｌ”、消灯時は“Ｈ”とする。停止残り時間通知パルス１７はレジスタ７に格納された停止残り時間情報１１の値が周期Ｔ１の定数倍の値となった瞬間に発せられるパルスである。停止残り時間通知パルス１７をトリガとして、発光デバイス４への点灯開始信号である点灯制御信号１６が発生し、点灯制御信号１６が“Ｌ”の間だけ発光デバイス４が点灯する。そして、図２に示したように点灯制御信号１６の周波数は停止残り時間通知パルス１７が“Ｌ”になる毎に段階的に低く変化、すなわち点滅間隔が長くなるように変化する。これにより、発光デバイス４の点灯周波数によって記録再開までの残り時間の情報が直感的に得られる。
【００２１】
演算装置６は、以下のようにして停止残り時間情報１１を演算する。演算装置６はあらかじめ間欠記録制御手段１４によって設定された記録停止時間をレジスタ７に格納しておく。そして、この記録停止時間と記録停止時間カウンタ１０にて計数された記録停止直後からの経過時間データとの値との差分を取るか、または、レジスタ７に格納した値をデクリメントすることによって停止残り時間情報１１とする。レジスタ７の値をデクリメントする場合には、間欠記録モードで記録停止する毎にレジスタ７の値を記録停止時間で初期化する必要がある。また、停止残り時間情報１１と点灯制御信号１６の周波数とを関連付けすることにより、前記残り時間通知手段３を実現することができる。
【００２２】
次に、遠隔操作装置５について説明する。遠隔操作装置５は、撮像情報記録装置１３に対し、記録開始・停止等の制御信号や画作り情報などを送信する信号送信装置としての機能と、撮像情報のフォーマット変換やモニター出力などを受信する信号受信装置としての機能などを持つものである。間欠停止状態情報１２は、間欠記録モードで且つ記録停止状態である場合に送信される信号であり、停止残り時間情報１１は停止残り時間情報送信手段９により算出された間欠記録モードで予め設定された記録再開までの残り時間を示すデータであり、その値は、周期Ｔ１（図２）を表す離散的な値や、一般的に撮像情報に付随して記録するタイムコードのようなフォーマットのデータ、または、残り時間の長さに応じたアナログ信号であってもよい。なお、前記遠隔操作装置５は、停止残り時間情報１１および間欠停止状態情報１２の少なくともいずれか一方を受信する簡易的な装置であってもよい。
【００２３】
【発明の効果】
以上のように本発明では、使用者が撮像情報記録装置より遠方に位置する場合など、ビューファインダーを覗くことも不可能な状況においても、撮像情報記録装置の間欠記録モード状態であるか否かを正確に把握できるようにする機能を撮像情報記録装置に搭載することにより、撮像情報記録装置の動作モードの誤判断によって撮像情報記録装置もしくは被写体のセッティングを変えてしまったり、記録装置の記録開始位置を変更したために次の自動記録作動により、記録装置に記録した撮像情報に上書きしてしまうといった不具合を防ぐ効果を有する。
【図面の簡単な説明】
【図１】間欠記録モード通知手段を備えた撮像情報記録装置のブロック図
【図２】間欠記録モード通知信号の一例を示すタイミングチャート
【符号の説明】
１  ・・・間欠記録モード通知手段
２  ・・・記録停止時間測定手段
３  ・・・残り時間通知手段
４  ・・・発光デバイス
５  ・・・遠隔操作装置
６  ・・・演算装置
７  ・・・レジスタ
８  ・・・間欠状態情報送信手段
９  ・・・停止残り時間送信手段
１０  ・・・記録停止時間カウンタ
１１  ・・・停止残り時間情報
１２  ・・・間欠停止状態情報
１３  ・・・撮像情報記録装置
１４  ・・・間欠記録制御手段
１５  ・・・記録制御信号
間欠記録モードにおける記録／停止のタイミング制御パルス
１６  ・・・点灯制御信号
発光デバイス４を点滅させるためのパルス信号
１７  ・・・停止残り時間通知パルス
停止残り時間情報１１の値が、周期Ｔ１の定数倍の値となったときに発せられ、点灯制御信号１６のトリガとなるパルス信号。
【図１】
2004266430.tif 000003
【図２】
2004266430.tif 000004